(57)【特許請求の範囲】
【請求項１】
通話機器の本体ケース内に、前記通話機器の前方を撮像するカメラを有するカメラユニットを、チルト角度を調整可能に取り付けるための通話機器におけるカメラユニット取付構造であって、
前記カメラのレンズ部を前方へ露出した状態で保持する保持部を備えたカメラホルダーを設け、前記カメラホルダーの周面を球状面とするとともに、前記カメラホルダーの周面から一対の軸部を夫々外側へ突設する一方、
前記本体ケースの前面を構成する前ケースに、前記カメラホルダーを後方から嵌入可能な筒状の開口部を設けるとともに、前記開口部の内面の少なくとも前方側を、前記カメラホルダーを嵌入させた際に前記球状面が当接可能な球面状に形成し、
さらに、前記前ケースの後面で前記開口部の中心を挟んだ左右位置に、所定の方向へ開放された一対の鉤状の軸支部を回転対称形状に後方へ突設しており、
前記カメラホルダーを、前記軸部と前記軸支部とが異なる位相となる姿勢で前記開口部内へ嵌入した後、前後方向を軸として所定の方向へ回転させ、前記軸部を前記軸支部へ夫々軸支させることにより、前記カメラユニットを前記本体ケース内に取付可能としたことを特徴とする通話機器におけるカメラユニット取付構造。
【請求項２】
前記本体ケースの後面を構成する後ケースに、前記カメラユニットの前記前ケースへの取付状態において前記カメラユニットの後部を左右から挟み込む規制手段を設け、チルト角度を調整する際に前記カメラユニットの左右方向へのガタつきを防止可能としたことを特徴とする請求項１に記載の通話機器におけるカメラユニット取付構造。
【発明の詳細な説明】
【技術分野】
【０００１】
本発明は、たとえばインターホン機器や電話機等といった通話機器におけるカメラユニット取付構造に関するものである。
【背景技術】
【０００２】
従来、通話機器の一実施例であるインターホン機器としては、インターホン機器の本体ケースの内部にカメラユニットが取り付けられており、インターホンを操作する来訪者を撮像するように構成されたものがある。また、このようなインターホン機器では、カメラユニットが有するカメラの上下方向での撮像角度、すなわちチルト角度を調整可能としている（たとえば、特許文献１）。そして、カメラのチルト角度を調整可能にカメラユニットを取り付けるための取付構造としては、カメラユニットから左右方向へ軸を突設する一方、本体ケースにカメラが露出する開口を開設するとともに、その開口を挟んだ左右位置に軸受を設ける構造が一般的に採用されている。したがって、該取付構造では、軸が本体ケースの前面に対して傾斜する姿勢で一方の軸を軸受へ軸支させた後、カメラユニット全体を撓めながら軸支された箇所を支点として前方へ回動させつつ他方の軸を軸受へ軸支させることにより、カメラユニットは取り付けられることになる。
【先行技術文献】
【特許文献】
【０００３】
【特許文献１】特開平１１−１０３３３７号公報
【発明の概要】
【発明が解決しようとする課題】
【０００４】
上記インターホン機器においては、カメラの周面と開口縁との間に十分な隙間を形成し、カメラのチルト角度を変更時にカメラが開口縁に干渉しないようにしている。しかしながら、そのような構成では、カメラの周面と開口縁との間の隙間を介して外気が進入し、カメラのレンズ周りや本体ケースの内部に結露が生じてしまうという問題がある。
そこで、結露を防止するためにカメラの周面と開口縁との間の密着度を高めようとすると、カメラの周面と開口縁との間に十分な隙間がないが故に、従来の取付構造ではカメラユニットを取り付けられないという問題が生じることになる。
【０００５】
そこで、本発明は、上記問題に鑑みなされたものであって、カメラと開口縁との間の密着度が高く結露を防止することができる上、密着度が高いにもかかわらずカメラユニットを容易に取り付けることができる通話機器におけるカメラユニット取付構造を提供しようとするものである。
【課題を解決するための手段】
【０００６】
上記目的を達成するために、本発明のうち請求項１に記載の発明は、通話機器の本体ケース内に、通話機器の前方を撮像するカメラを有するカメラユニットを、チルト角度を調整可能に取り付けるための通話機器におけるカメラユニット取付構造であって、カメラのレンズ部を前方へ露出した状態で保持する保持部を備えたカメラホルダーを設け、カメラホルダーの周面を球状面とするとともに、カメラホルダーの周面から一対の軸部を夫々外側へ突設する一方、本体ケースの前面を構成する前ケースに、カメラホルダーを後方から嵌入可能な筒状の開口部を設けるとともに、開口部の内面の少なくとも前方側を、カメラホルダーを嵌入させた際に球状面が当接可能な球面状に形成し、さらに、前ケースの後面で開口部の中心を挟んだ左右位置に、所定の方向へ開放された一対の鉤状の軸支部を回転対称形状に後方へ突設しており、カメラホルダーを、軸部と軸支部とが異なる位相となる姿勢で開口部内へ嵌入した後、前後方向を軸として所定の方向へ回転させ、軸部を軸支部へ夫々軸支させることにより、カメラユニットを本体ケース内に取付可能としたことを特徴とする。
この構成によれば、カメラのレンズ部を前方へ露出した状態で保持する保持部を備えたカメラホルダーを設け、カメラホルダーの周面を球状面とする一方、前ケースに、カメラホルダーを後方から嵌入可能な筒状の開口部を設けるとともに、開口部の内面の少なくとも前方側を、カメラホルダーを嵌入させた際に球状面が当接可能な球面状に形成している。そのため、カメラホルダーの周面と前ケースの開口部との間に隙間が生じない状態で、カメラユニットを取り付けることができる。したがって、従来の如く外気が本体ケース内に進入しにくいため、レンズ部や本体ケース内での結露の発生を効果的に防止することができる。
また、カメラホルダーを、軸部と軸支部とが異なる位相となる姿勢で開口部内へ嵌入した後、前後方向を軸として所定の方向へ回転させ、軸部を軸支部へ夫々軸支させることによりカメラユニットを取り付けるように構成している。したがって、上記の如くカメラホルダーの周面と前ケースの開口部とを密着させているにも拘わらず、簡易にカメラユニットを取り付けることができる。
【０００７】
請求項２に記載の発明は、請求項１に記載の発明において、本体ケースの後面を構成する後ケースに、カメラユニットの前ケースへの取付状態においてカメラユニットの後部を左右から挟み込む規制手段を設け、チルト角度を調整する際にカメラユニットの左右方向へのガタつきを防止可能としたことを特徴とする。
この構成によれば、本体ケースの後面を構成する後ケースに、カメラユニットの前ケースへの取付状態においてカメラユニットの後部を左右から挟み込む規制手段を設けているため、チルト角度を調整する際、カメラユニットを左右方向へガタつかせたりすることなくスムーズに回動させることができる。
【発明の効果】
【０００８】
本発明によれば、カメラホルダーの周面と前ケースの開口部との間に隙間が生じない状態で、カメラユニットを取り付けることができるため、外気が本体ケース内に進入しにくく、レンズ部や本体ケース内での結露の発生を効果的に防止することができる。また、カメラホルダーの周面と前ケースの開口部とを密着させているにも拘わらず、簡易にカメラユニットを取り付けることができる。
【図面の簡単な説明】
【０００９】
【図１】集合住宅インターホンシステムに用いられる集合玄関機を前面側から示した斜視説明図である。
【図２】カメラユニット部分における集合玄関機の分解状態を後方から示した斜視説明図である。
【図３】図２中のカメラユニット部分を拡大して示した説明図である。
【図４】後ケースのカメラユニット取付構造に係る箇所を前方から拡大して示した説明図である。
【図５】集合玄関機のカメラユニット位置での上下方向における断面を示した説明図である。
【図６】集合玄関機のカメラユニット位置での上下方向における断面を示した説明図である。
【発明を実施するための形態】
【００１０】
以下、本発明の一実施形態となる通話機器におけるカメラユニットの取付構造について、図面にもとづき詳細に説明する。
【００１１】
図１は、通話機器の一実施例であり集合住宅インターホンシステムに用いられる集合玄関機１を前面側から示した斜視説明図である。
集合玄関機１は、前側に配置される前ケース２（図２に示す）と、後側に配置される後ケース３（図２に示す）とで構成される本体ケースを有しており、この本体ケースの前面上部にはカメラカバー４が貼着されているとともに、該カメラカバー４内に、通話のためのマイク５やスピーカ６、本体ケースの前方を撮影するためのカメラ部７、操作案内文等を表示するモニタ８等が設けられている。また、本体ケースの前面下部には、来訪者が居住者を呼び出す際に操作する複数の操作ボタン９、９・・、及び帰宅した居住者が解錠時に使用するキースイッチ１０が設けられている。そして、このような集合玄関機１は、集合住宅の玄関の壁面等に設置されており、来訪者によって操作ボタン９、９・・が操作されると、対応する住戸の住戸端末（図示せず）を呼び出すとともに、カメラ部７を構成するカメラユニット２１を作動させて来訪者を撮影する。その後、住戸端末において応答操作がなされると、住戸端末との間で通話可能となる。尚、１１は、前ケース２の前面に取り付けられる化粧カバーである。
【００１２】
ここで、本発明の要部となるカメラユニット２１の取付構造について、図２〜図６をもとに説明する。
図２は、カメラユニット２１部分における集合玄関機１の分解状態を後方から示した斜視説明図であり、図３は、図２中のカメラユニット２１部分を拡大して示した説明図である。図４は、後ケース３のカメラユニット２１取付構造に係る箇所を前方から拡大して示した説明図である。図５及び図６は、集合玄関機１のカメラユニット２１位置での上下方向における断面を示した説明図であり、図５ではカメラユニット２１を正面に向けている一方、図６ではチルト角度の調整操作によりカメラユニット２１を下方へ向けている。
【００１３】
カメラユニット２１は、回路基板２２と一体的に設けられたレンズ部２３を有するカメラと、レンズ部２３を支持するカメラホルダー２４と、回路基板２２の後方に取り付けられてカメラのチルト角度を調整するためのチルトレバー２５とからなる。一方、該カメラユニット２１を本体ケース内に取り付けるための構造としては、前ケース２に開設された開口部３１と、開口部３１を挟むように突設された一対の支持爪３２、３２と、後ケース３の前面に設けられた案内部４１とからなる。
【００１４】
カメラホルダー２４は、前後方向に所定の幅を有する帯をリング状とした部材であって、周面は後端縁が最大径の円形となる球状面２４ａとして形成されている。また、カメラホルダー２４の前面は、帯の前端縁からリング内側へ突出された鍔部２４ｂにより絞られており、前面の中央部分に、鍔部２４ｂと一体形成されたレンズ部２３を保持する筒状の保持部２６の前端が開口しており、レンズ部２３を露出可能としている。さらに、カメラホルダー２４の周面後端縁で、その中心を通って対向する位置には、左右方向を軸として上下方向（チルト方向）へ回動可能にカメラホルダー２４を支持するための軸２７、２７が夫々左右外側へ突設されている。加えて、後述するカメラユニット２１取付時の回転方向で各軸２７の下流側に隣接した位置には、カメラホルダー２４を前ケース２への取付状態で保持するための係止突起２８が設けられている。
【００１５】
チルトレバー２５は、前面が開口しており、回路基板２２を後方から覆うように取り付けられるカバー状の部材であって、その後面２５ａは、カメラホルダー２４の軸２７、２７を軸線とする円周面として形成されている。また、該後面２５ａには、使用者が操作するためのレバー突起２９が後方へ突設されているとともに、レバー突起２９の近傍位置には所定のチルト角度でチルトレバー２５、ひいてはカメラユニット２１を固定するための噛合突起３０が設けられている。さらに、チルトレバー２５の左右両側面には平面状部２５ｂ、２５ｂが設けられており、後述する案内部４１に案内される被案内面として機能する。
【００１６】
一方、前ケース２のカメラ部７となる位置には、前面がレンズ部２３を露出させるための窓となる筒状の開口部３１が設けられている。該開口部３１の内周面は、カメラホルダー２４を嵌入させた際にカメラホルダー２４の周面が当接可能な球面状に形成されており、カメラホルダー２４の周面を密着させた状態でカメラホルダー２４を取付可能となっている。また、開口部３１の後端縁には、円周方向に沿って案内段部３１ａ、３１ａが設けられているとともに、各案内段部３１ａの後述するカメラユニット２１取付時における回転方向での下流側の端部には、カメラホルダー２４の係止突起２８が係止可能な係止段部３１ｂが設けられている。さらに、開口部３１の中心を挟んだ左右両側位置には、軸２７、２７を軸支可能な鉤状の支持爪３２、３２が、それぞれカメラユニット２１取付時における回転方向の上流側が開放された姿勢で、すなわち開口部３１の中心を中心とした回転対称形状に設けられている。
【００１７】
また、後ケース３のカメラ部７の後方側となる位置には、チルトレバー２５の後面２５ａが当接し、チルトレバー２５、ひいてはカメラユニット２１のチルト調整方向への回動を案内する案内部４１が設けられている。該案内部４１の前面は、チルトレバー２５の後面２５ａと同じ円周面となる凹状面として形成されている。また、案内部４１には、後ケース３の外方へレバー突起２９を突出させるための操作スリット４２が、上下方向（円周方向）に沿って開設されている。さらに、案内部４１の前面で操作スリット４２の近傍には、噛合突起３０が噛合可能な噛合部４３が設けられている。加えて、案内部４１の左右両側部には、案内部４１の前面とチルトレバー２５の後面２５ａとが当接した状態において、チルトレバー２５の側面の平面状部２５ｂ、２５ｂに当接し、チルト角度調整時におけるチルトレバー２５の左右方向へのブレを防止する板状の規制リブ４４、４４・・が前後方向に起立した姿勢で上下に複数設けられている。
【００１８】
ここで、上記カメラユニット２１の組み立て及び取付作業について説明する。
まず、レンズ部２３を保持部２６内に位置させてカメラの前方にカメラホルダー２４を取り付けるとともに、カメラの後方にチルトレバー２５を取り付けてカメラユニット２１を組み立てる。尚、カメラホルダー２４とカメラとの固定やチルトレバー２５と回路基板２２との固定に関しては、図示しないネジ等を用いて行えばよい。
次に、カメラホルダー２４を、軸２７、２７が回動軸方向となる左右方向から若干上下へ傾斜する方向となる姿勢（すなわち、後方から見た際に軸２７、２７と支持爪３２、３２との位相が異なる姿勢）とし、前ケース２の後方から開口部３１内へ嵌入させて軸２７、２７を案内段部３１ａ、３１ａ内へ位置させる。そして、前後方向を軸としてカメラユニット２１を後方から見て時計回りに回転させると、各係止突起２８が夫々係止段部３１ｂに係止されるとともに、各軸２７が支持爪３２を撓ませがら鉤状部内へ進入して支持爪３２に軸支される。その後、後ケース３を前ケース２へと組み付ければ、操作スリット４２からレバー突起２９が後方へ突出した状態で、カメラユニット２１が左右方向を軸として上下方向へ回動可能に取り付けられる。したがって、図６等に示す如く、レバー突起２９を上下方向へ操作すれば軸２７、２７を中心としてカメラユニット２１が上下方向へ回動し、カメラのチルト角度を調整することができる。
【００１９】
以上のように構成される集合玄関機１におけるカメラユニット２１の取付構造によれば、カメラのレンズ部２３をカメラホルダー２４に保持させるとともに、カメラホルダー２４の周面を球状面２４ａとして形成する一方、前ケース２の開口部３１を筒状に形成し、その内周面を球状面２４ａが密着可能な球状に形成している。そのため、カメラユニット２１を取り付けた際、カメラホルダー２４の周面と前ケース２の開口部３１との間に隙間が生じない状態で、カメラユニット２１をチルト角度調整可能に取り付けることができる。したがって、従来の如く外気が本体ケース内に進入しにくいため、レンズ部２３や本体ケース内での結露の発生を効果的に防止することができる。
【００２０】
また、カメラホルダー２４に支持されたカメラを前ケース２の後面に軸支させるに際して、軸２７、２７を回転軸方向となる左右方向から上下に傾斜するような姿勢でカメラホルダー２４を開口部３１内に嵌め込んだ後、前後方向を軸としてカメラホルダー２４、ひいてはカメラユニット２１を回転させることにより、軸２７、２７を支持爪３２、３２に軸支させるように構成している。したがって、上記の如くカメラホルダー２４の周面と前ケース２の開口部３１とを密着させているにも拘わらず、簡易にカメラユニット２１を取り付けることができる。
【００２１】
さらに、チルトレバー２５の左右側面に平面状部２５ｂ、２５ｂを設ける一方、後ケース３の案内部４１に前ケース２への組み付け状態において平面状部２５ｂ、２５ｂに当接してチルトレバー２５を左右から挟み込む複数の規制リブ４４、４４・・を設けている。したがって、チルトレバー２５を上下方向に操作してチルト角度を調整する際、カメラユニット２１を左右方向へガタつかせたりすることなくスムーズに回動させることができる。
【００２２】
なお、本発明に係る通話機器におけるカメラユニット取付構造は、上記実施形態の態様に何ら限定されるものではなく、通話機器の構成は勿論、カメラユニットの取付構造に係る構成に関しても、本発明の趣旨を逸脱しない範囲で、必要に応じて適宜変更することができる。
【００２３】
たとえば、係止突起２８や案内段部３１ａ、係止段部３１ｂ等の有無については適宜設計変更可能であるし、開口部３１の形状に関しても、前部の内周面については球面とするものの、後部の内周面についてはカメラホルダー２４を嵌入可能な円周面（筒状）として形成しても何ら問題はない。
また、カメラユニット２１の左右方向へのガタつきを防止するための規制手段についても、上記実施形態では板状の規制リブ４４を採用しているが、該規制リブに代えて、案内部４１における凹状面の側面から内方へ突起を形成し、チルトレバー２５の側面の平面状部２５ｂ、２５ｂに当接させるような構成を採用しても何ら問題はなく、適宜設計変更すればよい。
【００２４】
さらに、上記実施形態では、カメラユニット２１を取り付ける際に、カメラユニット２１を組み立てた後でカメラユニット２１を前ケース２の後面に取り付けるとしているが、まずカメラホルダー２４のみを取り付けた後、回路基板２２等を順次カメラホルダー２４へ固定するとしても何ら問題はない。
加えて、集合玄関機１のカメラユニット取付構造について説明しているが、本発明のカメラユニット取付構造は、集合住宅以外の住戸で玄関に設置されるインターホン機器である玄関子機や住戸内に設置されるインターホン機器の居室親機、電話機器等の他の通話機器に対しても良好に適用することができる。
【符号の説明】
【００２５】
１・・集合玄関機（通話機器）、２・・前ケース、３・・後ケース、７・・カメラ部、２１・・カメラユニット、２２・・回路基板、２３・・レンズ部、２４・・カメラホルダー、２４ａ・・球状面、２４ｂ・・鍔部、２５・・チルトレバー、２５ａ・・後面、２５ｂ・・平面状部（カメラユニットの後部）、２６・・保持部、２７・・軸、２８・・係止突起、２９・・レバー突起、３０・・噛合突起、３１・・開口部、３１ａ・・案内段部、３１ｂ・・係止段部、３２・・支持爪（軸支部）、４１・・案内部、４２・・操作スリット、４３・・噛合部、４４・・規制リブ（規制手段）。
【図１】
0005641973.tif 000002
【図２】
0005641973.tif 000003
【図３】
0005641973.tif 000004
【図４】
0005641973.tif 000005
【図５】
0005641973.tif 000006
【図６】
0005641973.tif 000007